(57)【特許請求の範囲】
【請求項１】
筐体前面に吸込口と、上面に吐出口が形成され、同吸込口と吐出口とを結ぶ通風路に、同通風路断面を分割するよう上下に配置され風下側に各々脱臭フィルタを有するダスト用フィルタ及び煙用フィルタと、送風機とを設ける一方、前記ダスト用フィルタ及び煙用フィルタを、各々選択的に開閉する開閉手段を設けるとともに、
前記筐体に粉塵センサとガスセンサを配設し、同粉塵センサとガスセンサの出力がともに予め設定された設定値を超えたときは、前記開閉手段により前記ダスト用フィルタの通風路を閉状態に、前記煙用フィルタの通風路を開状態にする一方、設定値を、何れか一方が超えないときは、前記ダスト用フィルタの通風路を開状態に、前記煙用フィルタの通風路を閉状態にしてなることを特徴とする縦型の空気清浄機。
【請求項２】
前記開閉手段が、前記ダスト用フィルタと煙用フィルタの間の風下側に支軸が保持され、上方に配置された前記フィルタの風下側または通風路となる前記筐体の後部壁面に先端を当接されるダンパであることを特徴とする請求項１記載の空気清浄機。
【請求項３】
筐体前面の上下に２つの吸込口と、上面に吐出口が形成され、前記各々の吸込口に配置され風下側に各々脱臭フィルタを有するダスト用フィルタまたは煙用フィルタと、送風機とを設ける一方、前記ダスト用フィルタ及び煙用フィルタに、各々選択的に開閉する開閉手段を設けるとともに、
前記筐体に粉塵センサとガスセンサを配設し、同粉塵センサとガスセンサの出力がともに予め設定された設定値を超えたときは、前記開閉手段により前記ダスト用フィルタを閉状態に、前記煙用フィルタを開状態にする一方、前記設定値を、何れか一方が超えないときは、前記ダスト用フィルタを開状態に、前記煙用フィルタを閉状態にしてなることを特徴とする縦型の空気清浄機。
【請求項４】
前記開閉手段が、前記ダスト用フィルタと煙用フィルタの間の風下側に支軸が保持され、どちらか一方のフィルタの風下側に当接される開閉板であることを特徴とする請求項３記載の空気清浄機。
【請求項５】
前記開閉手段が、前記ダスト用フィルタと煙用フィルタの風下側に摺動自在に支軸が保持され、どちらか一方のフィルタの風下側に当接される開閉板であることを特徴とする請求項３記載の空気清浄機。
【請求項６】
前記ダスト用フィルタと煙用フィルタを同一枠内に並列配置し一体化してなることを特徴とする請求項１乃至請求項５のいずれか１項に記載の空気清浄機。
【請求項７】
前記ダスト用フィルタにダスト用脱臭フィルタを、前記煙用フィルタに煙用脱臭フィルタを、各々配設してなることを特徴とする請求項１乃至請求項６のいずれか１項に記載の空気清浄機。
【請求項８】
前記ダスト用フィルタとダスト用脱臭フィルタ、及び前記煙用フィルタと煙用脱臭フィルタを各々二層構造にして一体化してなることを特徴とする請求項１乃至請求項７のいずれか１項に記載の空気清浄機。
【請求項９】
筐体前面に吸込口と、上面に吐出口が形成され、同吸込口と吐出口とを結ぶ通風路内に、選択的に位置する風下側に各々脱臭フィルタを有するダスト用フィルタまたは煙用フィルタと、同両フィルタを保持しその位置を反転させる反転機構部と、送風機とを設けるとともに、
前記筐体に粉塵センサとガスセンサを配設し、同粉塵センサとガスセンサの出力がともに予め設定された設定値を超えたときは、前記反転機構部により前記煙用フィルタを前記通風路に位置させる一方、前記設定値を、何れか一方が超えないときは、前記ダスト用フィルタを前記通風路に位置させてなることを特徴とする縦型の空気清浄機。
【請求項１０】
前記反転機構部が、平板状に一体化された前記ダスト用フィルタと煙用フィルタとの境界間の中心から垂直に風下側に向け立設された回動軸と、同回動軸を保持し前記吸込口と対向する筐体後壁に配設された軸受からなることを特徴とする請求項９記載の空気清浄機。
【請求項１１】
前記反転機構部が、断面Ｌ字状に一体化された前記ダスト用フィルタと煙用フィルタの角隅部の両端に設けられた回動軸と、同回動軸を保持し前記吸込口と対向する筐体後壁に配設された軸受からなることを特徴とする請求項９記載の空気清浄機。
【請求項１２】
前記ダンパの支軸、または前記開閉板の支軸、あるいは反転駆動部の回動軸を、モータ等からなる駆動装置によって駆動するようにしてなることを特徴とする請求項２、４、１０または１１のいずれか１項に記載の空気清浄機。
【発明の詳細な説明】
【０００１】
【発明の属する技術分野】
本発明は、空気清浄機に係り、詳しくは吐出空気の無臭化構造に関する。
【０００２】
【従来の技術】
図８は、従来型の空気清浄機の一例を示す断面図である。
【０００３】
従来型の空気清浄機は、タバコや調理時の煙を吸い込むと、悪臭分子を含んだ油分がフィルタに付着し、このため清浄空気を通過させたときに、新たな悪臭の発生源になるという不具合を生じる。
【０００４】
ところで、特開平６−３１５６５０に開示され図に示す空気清浄機は、粉塵粒子を帯電させる荷電部及びこの荷電部で帯電された粉塵粒子を捕集する集塵部を備えた電気集塵装置２１と、通過空気を脱臭する脱臭フィルタ２２とを通風路断面を２分するよう空調ダクト２０内に並列に配置し、前記電気集塵装置２１及び脱臭フィルタ２２の上流側に前記２分された通風路の開口割合を調節するダンパ２３を設けると共に、このダンパ２３より上流側にガスセンサ２４を設け、前記ダンパ２３の位置を前記ガスセンサ２４の出力およびモードに応じて設定している。
【０００５】
しかしながら、この技術は、臭気の度合いによって脱臭能力を調整する作用、効果はあるもののガスセンサ２４単体の出力による切り換えのため、前記悪臭分子が、ガス状でフィルタに吸着されないものか、あるいは油分に含まれていて前記フィルタに吸着されるものかの区別ができない。
【０００６】
このため、前記フィルタに吸着された油分に含まれている前記悪臭分子が新たな悪臭の発生源となるおそれがある問題を有していた。
さらに、悪臭の発生により前記フィルタの寿命と判断され、不必要な交換が行われ、フィルタの寿命を実質的に短くするおそれがあった。
一方、前記フィルタ通過後の脱臭フィルタの処理率を１００％にすれば、このような切り換えは不要のように考えられるが、現実的には家庭用の空気清浄機の脱臭フィルタの処理率は１０％未満であり、これを１００％に向上するには送風抵抗の増加から莫大な消費電力と騒音の発生、装置の大型化を伴うことになる。
【０００７】
【発明が解決しようとする課題】
本発明は上記従来型の問題点に鑑み発明されたものであって、フィルタに付着する有臭油分からの臭いを抑えるとともに、フィルタの寿命時間を向上した空気清浄機を提供することを目的とするものである。
【０００８】
【課題を解決するための手段】
上記の課題を解決するため、筐体前面に吸込口と、上面に吐出口が形成され、同吸込口と吐出口とを結ぶ通風路に、同通風路断面を分割するよう上下に配置され風下側に各々脱臭フィルタを有するダスト用フィルタ及び煙用フィルタと、送風機とを設ける一方、前記ダスト用フィルタ及び煙用フィルタを、各々選択的に開閉する開閉手段を設けるとともに、前記筐体に粉塵センサとガスセンサを配設し、同粉塵センサとガスセンサの出力がともに予め設定された設定値を超えたときは、前記開閉手段により前記ダスト用フィルタの通風路を閉状態に、前記煙用フィルタの通風路を開状態にする一方、設定値を、何れか一方が超えないときは、前記ダスト用フィルタの通風路を開状態に、前記煙用フィルタの通風路を閉状態にしてなるようにする。
【０００９】
そして、前記開閉手段が、前記ダスト用フィルタと煙用フィルタの間の風下側に支軸が保持され、上方に配置された前記フィルタの風下側または通風路となる前記筐体の後部壁面に先端を当接されるダンパであるようにする。
【００１０】
または、筐体前面の上下に２つの吸込口と、上面に吐出口が形成され、前記各々の吸込口に配置され風下側に各々脱臭フィルタを有するダスト用フィルタまたは煙用フィルタと、送風機とを設ける一方、前記ダスト用フィルタ及び煙用フィルタに、各々選択的に開閉する開閉手段を設けるとともに、前記筐体に粉塵センサとガスセンサを配設し、同粉塵センサとガスセンサの出力がともに予め設定された設定値を超えたときは、前記開閉手段により前記ダスト用フィルタを閉状態に、前記煙用フィルタを開状態にする一方、前記設定値を、何れか一方が超えないときは、前記ダスト用フィルタを開状態に、前記煙用フィルタを閉状態にしてなるようにする。
【００１１】
そして、前記開閉手段が、前記ダスト用フィルタと煙用フィルタの間の風下側に支軸が保持され、どちらか一方のフィルタの風下側に当接される開閉板であるようにする。
【００１２】
または、前記開閉手段が、前記ダスト用フィルタと煙用フィルタの風下側に摺動自在に支軸が保持され、どちらか一方のフィルタの風下側に当接される開閉板であるようにする。
【００１３】
一方、前記ダスト用フィルタと煙用フィルタを同一枠内に並列配置し一体化してなるようにする。そして、前記ダスト用フィルタにダスト用脱臭フィルタを、前記煙用フィルタに煙用脱臭フィルタを、各々配設してなるようにする。さらに、前記ダスト用フィルタとダスト用脱臭フィルタ、及び前記煙用フィルタと煙用脱臭フィルタを各々二層構造にして一体化してなるようにする。あるいは、筐体前面に吸込口と、上面に吐出口が形成され、同吸込口と吐出口とを結ぶ通風路内に、選択的に位置する風下側に各々脱臭フィルタを有するダスト用フィルタまたは煙用フィルタと、同両フィルタを保持しその位置を反転させる反転機構部と、送風機とを設けるとともに、前記筐体に粉塵センサとガスセンサを配設し、同粉塵センサとガスセンサの出力がともに予め設定された設定値を超えたときは、前記反転機構部により前記煙用フィルタを前記通風路に位置させる一方、前記設定値を、何れか一方が超えないときは、前記ダスト用フィルタを前記通風路に位置させてなるようにする。
【００１５】
そして、前記反転機構部が、平板状に一体化された前記ダスト用フィルタと煙用フィルタとの境界間の中心から垂直に風下側に向け立設された回動軸と、同回動軸を保持し前記吸込口と対向する筐体後壁に配設された軸受からなるようにする。
あるいは、前記反転機構部が、断面Ｌ字状に一体化された前記ダスト用フィルタと煙用フィルタの角隅部の両端に設けられた回動軸と、同回動軸を保持し前記吸込口と対向する筐体後壁に配設された軸受からなるようにする。
他方、前記ダンパの支軸、または前記開閉板の支軸、あるいは反転駆動部の回動軸を、モータ等からなる駆動装置によって駆動するようにする。
【００１６】
【発明の実施の形態】
以下、発明の実施の形態を実施例に基づき添付図面を参照して詳細に説明する。
図１は、本発明の一実施例を示す空気清浄機の断面図、図２は、本発明の一実施例を示す空気清浄機の斜視図、図７（ａ）は、本発明の一実施例を示す空気清浄機の開閉手段のフローチャートである。
図において、１は空気清浄機の本体、２は筐体、２ａ、２ｂは吸込口、２ｃは吐出口、３は煙用フィルタ、３ａは煙用脱臭フィルタ、４はダスト用フィルタ、４ａはダスト用脱臭フィルタ、５は粉塵センサ、６はガスセンサ、７は開閉板、７ａは支軸、８はダンパ、８ａは支軸、９は送風機、１０は反転機構部、１０ａは回動軸、１０ｂは軸受、１１はモータである。
【００１７】
本発明による空気清浄機１は、筐体２の前面に形成された吸込口２ａ、２ｂと上面に形成された吐出口２ｃとを結ぶ通風路に、同通風路断面を分割するよう上下に配置され風下側に各々脱臭フィルタ４ａ、または３ａを有するダスト用フィルタ４及び煙用フィルタ３と、送風機９とを設ける。
一方、前記ダスト用フィルタ４及び煙用フィルタ３の通風路に、各々選択的に開閉する開閉手段を設ける。
前記開閉手段として、前記ダスト用フィルタ４と煙用フィルタ３の間の風下側に支軸８ａが保持され、上方に配置された前記煙用フィルタ３の風下側または通風路となる前記筐体２の後部壁面に先端を当接されるダンパ８を用いている。
それとともに、前記筐体２に粉塵センサ５とガスセンサ６を配設している。
【００１８】
図７（ａ）に示すように、前記粉塵センサ５の出力が予め設定された設定値を超えるかどうか判断（ＳＴ１）し、ＹＥＳであれば前記ガスセンサ６の出力が予め設定された設定値を超えるかどうかの判断（ＳＴ２）に進み、ＮＯであればＳＴ４に進む。次いで、前記粉塵センサ５とガスセンサ６の出力が予め設定された設定値を超えるかどうか判断し（ＳＴ２）、ＹＥＳであれば、前記開閉手段により前記ダスト用フィルタ４の通風路を閉状態に、前記煙用フィルタ３の通風路を開状態にしている。（ＳＴ３）
一方、ＳＴ１でＮＯ、またはＳＴ２でＮＯで前記設定値を超えないときは、前記ダスト用フィルタ４の通風路を開状態に、前記煙用フィルタ３の通風路を閉状態にしている。（ＳＴ４）
そして、再びＳＴ１に戻りこの動作を繰り返す。
【００１９】
また、前記筐体２前面に２つの吸込口２ａ、２ｂを設けるとともに、同各々の吸込口２ａ、２ｂにダスト用フィルタ４または煙用フィルタ３を配設している。そして、前記ダスト用フィルタ４と煙用フィルタ３を同一枠内に並列配置し一体化している。
また、前記ダスト用フィルタ４にダスト用脱臭フィルタ４ａを、前記煙用フィルタ３に煙用脱臭フィルタ３ａを、各々配設している。
さらに、前記ダンパ８の支軸８ａを、モータ１１等からなる駆動装置１２によって駆動している。
【００２０】
次いで、本発明の一実施例の作用、効果について説明する。
室内が清浄なときには、前記粉塵センサ５とガスセンサ６の出力は、予め設定された値を超えないため、汚れ検知を出力しない。
ところで、花粉やダニ、綿ぼこりなどの無臭ダストには粉塵センサ５のみ汚れ検知を出力する。
また、ホルムアルデヒドなどの新建材起因のガス、トイレ臭、老病人臭などはガス状の分子だけからなり、ガスセンサ６のみ汚れ検知を出力する。
【００２１】
以上の場合には、前記ダンパ８は、前記煙用フィルタ３の風下側に当接され、前記ダスト用フィルタ４の通風路を開状態に、前記煙用フィルタ３の通風路を閉状態にしている。
そして、花粉などは前記ダスト用フィルタ４に捕集されるが、悪臭を放出せず飛散もない。
また、ホルムアルデヒドなどは、前記ダスト用脱臭フィルタ４ａにより処理される。
ここで捕集しきれないものは、前記送風機９を通り吐出口２ｃから排出されるが、再び吸入口２ｂから吸入され、これを繰り返すことにより室内の空気が清浄される。
【００２２】
一方、タバコの煙や調理時の煙には、粉塵センサ５で検知できる範囲の大きさの粒子と、ガス状の悪臭分子の両方が含まれるので、前記粉塵センサ５とガスセンサ６の両方が汚れ検知を出力する。
このため室内にタバコの煙があると、前記ダンパ８は、通風路となる前記筐体２の後部壁面に先端を当接され、前記ダスト用フィルタ４の通風路を閉状態に、前記煙用フィルタ３の通風路を開状態にする。
そして、送風機９により吸込口２ａからタバコの煙が吸い込まれ、先ず煙用フィルタ３で有臭油分（ヤニ）など粒子状のものが吸着され、さらに通過したガス状の臭気分子は煙用脱臭フィルタ３ａにより処理される。
ここで捕集しきれないものは、前記送風機９を通り吐出口２ｃから排出されるが、再び吸入口２ａから吸入され、これを繰り返すことにより室内の空気が清浄される。
【００２３】
他方、前記粉塵センサ５とガスセンサ６の出力が、予め設定された値を超えなくなると、汚れ検知を出力しないので、再び前記ダンパ８は、前記煙用フィルタ３の風下側に当接され、前記ダスト用フィルタ４の通風路を開状態に、前記煙用フィルタ３の通風路を閉状態にしている。
この結果、前記煙用フィルタ３に吸着された有臭油分からの悪臭の揮発を抑えることができる。
【００２４】
図３（ａ）は、本発明の他の実施例を示す空気清浄機の断面図である。
この実施例の場合、前記ダスト用フィルタ４とダスト用脱臭フィルタ４ａ、及び前記煙用フィルタ３と煙用脱臭フィルタ３ａを各々二層構造にして一体化している。
また、筐体２の前面の上下に２つの吸込口２ａ、２ｂが形成され、上面に吐出口２ｃが形成され、前記各々の吸込口に一体化された風下側に各々脱臭フィルタ４ａ、または３ａを有するダスト用フィルタ４及び煙用フィルタ３と、送風機９とを設ける。
【００２５】
一方、前記ダスト用フィルタ４及び煙用フィルタ３に、各々選択的に開閉する開閉手段を設ける。
そして、前記開閉手段として、前記ダスト用フィルタ４と煙用フィルタ３の間の風下側にその支軸７ａが保持され、どちらか一方のフィルタ４、３の風下側に当接される開閉板７を設けている。
さらに、前記開閉板７の支軸７ａを、モータ１１に直結した駆動装置１２によって駆動している。
それとともに、前記筐体２に粉塵センサ５とガスセンサ６を配設し、同粉塵センサ５とガスセンサの出力６がともに予め設定された設定値を超えたときは、前記開閉手段により前記ダスト用フィルタ４を閉状態に、前記煙用フィルタ３を開状態にする一方、前記設定値をともに超えないときは、前記ダスト用フィルタ４を開状態に、前記煙用フィルタ３を閉状態にしている。
この動作は、上述の実施例の図７（ａ）と同様なので、詳細な説明は省略する。
【００２６】
この実施例の作用、効果は、前記ダスト用フィルタ４とダスト用脱臭フィルタ４ａ、及び前記煙用フィルタ３と煙用脱臭フィルタ３ａを各々二層構造にして一体化しているので組立作業性が向上し部品材料コストも低下させる。
また、前記開閉板７の簡単な構造はコストを低下させ駆動装置も簡単にすることができる。
【００２７】
図３（ｂ）は、本発明の他の実施例を示す空気清浄機の断面図である。
この実施例の場合、前記開閉手段が、前記ダスト用フィルタ４と煙用フィルタ３の風下側に摺動自在に支軸７ａが保持され、どちらか一方のフィルタ４、３の風下側に当接される開閉板７であるようにしている。
さらに、前記開閉板７の支軸７ａを、モータ１１に直結した駆動装置１２によって摺動板１２ａに沿って駆動している。
このようにして、前記開閉板７は、摺動板１２ａに沿って上下に摺動自在に移動する。
この実施例の作用、効果は上述の図３（ａ）に示す実施例と同じであるが、前記筐体２の奥行寸法を短くすることができる。
【００２８】
図４は、本発明の一実施例を示す空気清浄機の斜視図、図５は、本発明の他の実施例を示す空気清浄機の断面図、図７（ｂ）は、本発明の他の実施例を示す空気清浄機の反転機構部のフローチャートである。
この実施例の場合、筐体２前面に吸込口２ａと、上面に吐出口２ｃが形成され、同吸込口２ａと吐出口２ｃとを結ぶ通風路内に、選択的に位置する風下側に各々脱臭フィルタ４ａまたは３ａを有するダスト用フィルタ４または煙用フィルタ３と、同両フィルタ４、３を保持しその位置を反転させる反転機構部１０と、送風機９とを設けている。
そして、前記反転機構部１０が、平板状に一体化された前記ダスト用フィルタ４と煙用フィルタ３との境界間の中心から垂直に風下側に向け立設された回動軸１０ａと、同回動軸１０ａを保持し前記吸込口２ａと対向する筐体２後壁に配設された軸受１０ｂからなるようにしている。
【００２９】
図７（ｂ）に示すように、前記粉塵センサ５の出力が予め設定された設定値を超えるかどうか判断（ＳＴ１）し、ＹＥＳであれば前記ガスセンサ６の出力が予め設定された設定値を超えるかどうかの判断（ＳＴ２）に進み、ＮＯであればＳＴ４に進む。次いで、前記粉塵センサ５とガスセンサ６の出力が予め設定された設定値を超えるかどうか判断し（ＳＴ２）、ＹＥＳであれば、前記反転機構部１０により前記通風路に、前記煙用フィルタ３を位置させる状態にしている。（ＳＴ３）
一方、ＳＴ１でＮＯ、またはＳＴ２でＮＯで前記設定値を超えないときは、前記通風路に、前記ダスト用フィルタ４を位置させる状態にしている。（ＳＴ４）
そして、再びＳＴ１に戻りこの動作を繰り返す。
【００３０】
この実施例の作用、効果について説明すると、上述の図１、図３に示す実施例のようなダンパ８、開閉板７などが不要であり、前記吸込口２ａも一箇所で済み、前記フィルタ４、３を直接回動させ反転させるだけであるので、部品材料費、加工コストを低下させることができる。
【００３１】
図６は、本発明の他の実施例を示す空気清浄機の断面図である。
この実施例の場合、上述の図５に示す実施例と同様であるが、前記反転機構部１０として、断面Ｌ字状に一体化された前記ダスト用フィルタ４と煙用フィルタ３の角隅部の両端に設けられた回動軸１０ａと、同回動軸１０ａを保持し前記吸込口２ａと対向する筐体２後壁に配設された軸受１０ｂを設けている。
この動作は、上述の実施例の図７（ｂ）と同様なので、詳細な説明は省略する。
【００３２】
この実施例の作用、効果について説明すると、上述の実施例のようなダンパ８、開閉板７などが不要であり、前記吸込口２ａも一箇所で済み、前記フィルタ４、３を直接回動させ反転させるだけであるので、部品材料費、加工コストを低下させることができる。
【００３３】
【発明の効果】
本発明の空気清浄機によると、筐体前面に吸込口と、上面に吐出口が形成され、同吸込口と吐出口とを結ぶ通風路に、同通風路断面を分割するよう上下に配置され風下側に各々脱臭フィルタを有するダスト用フィルタ及び煙用フィルタと、送風機とを設ける一方、前記ダスト用フィルタ及び煙用フィルタの通風路に、各々選択的に開閉する開閉手段を設けるとともに、
前記筐体に粉塵センサとガスセンサを配設し、同粉塵センサとガスセンサの出力がともに予め設定された設定値を超えたときは、前記開閉手段により前記ダスト用フィルタの通風路を閉状態に、前記煙用フィルタの通風路を開状態にする一方、前記設定値をともに超えないときは、前記ダスト用フィルタの通風路を開状態に、前記煙用フィルタの通風路を閉状態にしてなるようにした。
【００３４】
この結果、フィルタに付着する有臭油分からの臭いを抑えるとともに、フィルタの寿命時間を向上した空気清浄機を提供することができる。
【図面の簡単な説明】
【図１】本発明の一実施例を示す空気清浄機の断面図である。
【図２】本発明の一実施例を示す空気清浄機の斜視図である。
【図３】（ａ）、（ｂ）は、本発明の他の実施例を示す空気清浄機の断面図である。
【図４】本発明の一実施例を示す空気清浄機の斜視図である。
【図５】本発明の他の実施例を示す空気清浄機の断面図である。
【図６】本発明の他の実施例を示す空気清浄機の断面図である。
【図７】（ａ）は、本発明の一実施例を示す空気清浄機の開閉手段のフローチャート、
（ｂ）は、本発明の他の実施例を示す空気清浄機の反転機構部のフローチャートである。
【図８】従来型の空気清浄機の一例を示す断面図である。
【符号の説明】
１  本体
２  筐体
２ａ  吸込口
２ｂ  吸込口
２ｃ  吐出口
３  煙用フィルタ
３ａ  煙用脱臭フィルタ
４  ダスト用フィルタ
４ａ  ダスト用脱臭フィルタ
５  粉塵センサ
６  ガスセンサ
７  開閉板
７ａ  支軸
８  ダンパ
８ａ  支軸
９  送風機
１０  反転機構部
１０ａ  回動軸
１０ｂ  軸受
１１  モータ
１２  駆動装置
【図１】
0004161456.tif 000002
【図２】
0004161456.tif 000003
【図３】
0004161456.tif 000004
【図４】
0004161456.tif 000005
【図５】
0004161456.tif 000006
【図６】
0004161456.tif 000007
【図７】
0004161456.tif 000008
【図８】
0004161456.tif 000009